(57)【特許請求の範囲】
【請求項１】
シャッターカーテンが巻き取られている巻取軸の下方、かつ前記巻取軸から繰り出される前記シャッターカーテンよりも前記巻取軸側に設けられ、
側部に、配線接続用のコネクタが配置される筐体と、
前記筐体に設けられ、前記コネクタの上方、及び前記筐体の外側かつ前記巻取軸から繰り出される前記シャッターカーテン側に露出して設けられた露出部品の上方へ張り出して形成されたひさしと、を有し、
前記露出部品の上方の前記ひさしは、前記巻取軸から繰り出された前記シャッターカーテンまで達していない制御盤。
【請求項２】
前記ひさしは、その先端へ向かって斜め下方へ延びている請求項１に記載の制御盤。
【請求項３】
前記ひさしの傾斜角度は、段階的に変化している請求項２に記載の制御盤。
【請求項４】
前記制御盤は、構造物の出入口である開口部の上部に設けられ前記シャッターカーテン及び前記巻取軸が収納配置されるシャッターケースの内側の底部に設けられている請求項１〜請求項３の何れか１項に記載の制御盤。
【請求項５】
構造物の出入口である開口部に設けられた一対のガイドレールと、
前記開口部の上部に設けられたシャッターケースと、
前記シャッターケースの内部に回動自在に収納配置された巻取軸と、
前記巻取軸を回転駆動するモータと、
前記巻取軸に上端が結合され前記巻取軸に巻取り可能とされると共に、幅方向両端部が前記ガイドレールにスライド自在に挿入されたシャッターカーテンと、
前記モータの制御を行うための請求項１〜請求項４の何れか１項に記載の制御盤と、
を有する開閉装置。
【発明の詳細な説明】
【技術分野】
【０００１】
本発明は、開閉装置に好適な制御盤及び開閉装置に関する。
【背景技術】
【０００２】
板状の筐体本体に、箱体である蓋体が開閉自在に設けられ、筐体本体に端子台と制御機器とが設けられた制御端末器が開示されている（特許文献１参照）。これは、蓋体を閉じることにより、端子台と制御機器とが蓋体の開口部にはまり合って、蓋体の内部に収容され、端子台から延びる給電線が、蓋体の切欠き部に挿通される構成となっている。
【先行技術文献】
【特許文献】
【０００３】
【特許文献１】特開２００１−３５６７０号公報
【発明の概要】
【発明が解決しようとする課題】
【０００４】
制御盤において、結線の簡略化のため、配線をコネクタ接続とすることが考えられる。
【０００５】
しかしながら、その場合、コネクタが制御盤の外部に露出することになり、コネクタの防水性能の確保が課題となる。課題解決のため、防水コネクタを使用することが考えられるが、その場合、選択できるコネクタの数が、非防水コネクタよりも少なく、制御盤の設計に際し、様々な制限が発生する。
【０００６】
本発明は、上記事実を考慮して、配線をコネクタ接続とした制御盤の防水性能を確保し、設計の自由度を高めることを目的とする。
【課題を解決するための手段】
【０００７】
第１の態様に係る制御盤は、側部に、配線接続用のコネクタが配置される筐体と、前記筐体に設けられ、前記コネクタの上方へ張り出して形成されたひさしと、を有する。
【０００８】
この制御盤では、筐体の側部に配線接続用のコネクタが配置される。この筐体には、コネクタの上方へ張り出すひさしが形成されているので、制御盤の筐体に対して上方から水が滴下した場合に、水がコネクタに付着することを抑制できる。これにより、コネクタからの水の浸入が抑制される。このため、コネクタとして、比較的小型の非防水コネクタを使用できる。
【０００９】
第２の態様は、第１の態様に係る制御盤において、前記ひさしが、前記筐体の外側に露出して設けられた露出部品の上方へも張り出して形成されている。
【００１０】
この制御盤では、ひさしが露出部品の上方へも張り出して配置されているので、制御盤の筐体に対して上方から水が滴下した場合に、水が露出部品に付着することを抑制できる。
【００１１】
第３の態様は、第１の態様又は第２の態様に係る制御盤において、前記ひさしは、その先端へ向かって斜め下方へ延びている。
【００１２】
この制御盤では、ひさしが、その先端へ向かって斜め下方へ延びているので、ひさしの上に付着した水が流れ落ち易い。これにより、制御盤の上での水の滞留が抑制される。
【発明の効果】
【００１３】
第１の態様に係る制御盤によれば、配線をコネクタ接続とした制御盤の防水性能を確保し、設計の自由度を高めることができる、という優れた効果が得られる。
【００１４】
第２の態様に係る制御盤によれば、制御盤の防水性能を更に高めることができる、という優れた効果が得られる。
【００１５】
第３の態様に係る制御盤によれば、制御盤の防水性能をより一層高めることができる、という優れた効果が得られる。
【図面の簡単な説明】
【００１６】
【図１】本実施形態に係る制御盤を有する開閉装置を示す斜視図である。
【図２】シャッターカーテンに付着した水が、本実施形態に係る制御盤のひさしに滴下した状態を示す断面図である。
【図３】本実施形態に係る制御盤を示す斜視図である。
【図４】（Ａ）は、本実施形態に係る制御盤を示す背面図である。（Ｂ）は、本実施形態に係る制御盤を示す、図４（Ａ）における４Ｂ矢視図である。（Ｃ）は、本実施形態に係る制御盤を示す、図４（Ａ）における４Ｃ矢視図である。
【図５】開閉装置の制御ユニットを示す斜視図である。
【図６】制御ユニットに対するコネクタの接続を示す分解斜視図である。
【図７】制御ユニットを開閉装置の外部に取り付けた例を示す斜視図である。
【発明を実施するための形態】
【００１７】
以下、本発明を実施するための形態を図面に基づき説明する。図１、図２には、本実施形態に係る制御盤１０を有する開閉装置１２が示されている。開閉装置１２は、建物等の構造物の出入口である開口部１３に設けられ、例えば一対のガイドレール１４に沿って、開閉体であるシャッターカーテン１６を開閉移動させる装置である。ガイドレール１４は、開口部１３の左右両側の建物の壁等の躯体１５に固定されている。シャッターカーテン１６の幅方向両端部は、ガイドレール１４にスライド自在に挿入されており、ガイドレール１４に案内されて開閉移動する。なお、ガイドレール１４には、シャッターカーテン１６を開閉させるための操作部３３が設けられている。
【００１８】
開口部１３の上部にはシャッターケース１８が設けられ、該シャッターケース１８の内部に巻取軸２２が左右一対のブラケット（図示せず）で支持されて回転自在に収納配置される。この巻取軸２２に、シャッターカーテン１６の上端が結合されている。シャッターカーテン１６が巻取軸２２に巻き取られることにより、開口部１３が開き、シャッターカーテン１６を巻取軸２２から繰り出すことにより、開口部１３が閉じるようになっている。巻取軸２２は、図示しないモータにより回転駆動される。モータの制御は、制御盤１０及び制御ユニット２０を用いて行われる。
【００１９】
図３、図４において、制御盤１０は、筐体２４と、ひさし２５，２６、２７とを有している。筐体２４は、例えば略直方体に構成され、上方に開口部（図示せず）が設けられた箱状の筐体本体３２と、筐体本体３２の開口部を塞ぐ蓋体３４とを有して構成されている。筐体２４の側部２４Ｌ，２４Ｒには、配線接続用のコネクタ３０が配置されている。制御盤１０の内部に、図示しない制御機器が収容されており、該制御機器とコネクタ３０とが電気的に接続されている。筐体２４の側部２４Ｌ，２４Ｒには、コネクタ３０を配置するための貫通孔が夫々形成されている。
【００２０】
図１、図２に示されるように、制御盤１０は、例えば、ブラケット３６を介して、シャッターケース１８の内側の底部に設置される。この設置状態において、側部２４Ｌは筐体２４の左側面であり、側部２４Ｒは筐体２４の右側面である。したがって、コネクタ３０に対する配線接続は、左右方向に行われる。図示の例では、制御盤１０の右側に制御ユニット２０が配置されており、該制御盤１０と制御ユニット２０とが例えば配線２８，２９（図６）により接続される。このため、制御ユニット２０に近い右側の側部２４Ｒには、左側の側部２４Ｌよりも多くのコネクタ３０が配置されている。なお、図７に示されるように、シャッターケース１８の正面には、制御盤１０及び制御ユニット２０に対するアクセスを可能にする開閉可能な蓋体３１が設けられている。
【００２１】
コネクタ３０としては、非防水コネクタが使用される。非防水コネクタは、防水コネクタ（図示せず）と比較して小型であるため、側部２４Ｌ，２４Ｒに、より多くのコネクタ３０を配置することが可能である。コネクタ３０には、配線２８，２９の端末に設けられたコネクタ（図示せず）が接続される。
【００２２】
図３、図４において、ひさし２５，２６は、例えば板金加工により、筐体２４の蓋体３４に一体的に設けられ、コネクタ３０の上方へ張り出して形成されている。ひさし２５，２６の張出し量は、コネクタ３０に接続された配線２８，２９のコネクタ（図示せず）が、上方から見て該ひさし２５，２６に全体的に隠れるように設定される。また、ひさし２５，２６は、その先端２５Ａ，２６Ａへ向かって斜め下方へ延びている。傾斜角度は一定でもよく、また段階的に変化していてもよい。また、ひさし２５，２６は、先端２５Ａ，２６Ａの位置が蓋体３４の位置より低くなるように湾曲していてもよい。
【００２３】
ひさし２７は、筐体２４の外側に露出して設けられた露出部品の一例たるヒートシンク３８及びファン４０の上方へ張り出して形成されている。ひさし２７も、ひさし２５，２６と同様に、例えば板金加工により、蓋体３４に一体的に設けられている。図４（Ｂ）に示されるように、このひさし２７は、水平部２７Ａと、傾斜部２７Ｂと、先端２７Ｃとを有し、全体として、先端２７Ｃへ向かって斜め下方へ延びている。水平部２７Ａは、蓋体３４の延長上に形成された部位であり、例えば傾斜部２７Ｂよりも幅狭に形成されている。傾斜部２７Ｂは、蓋体３４から離れるにしたがって斜め下方に傾斜している。先端２７Ｃは、傾斜部２７Ｂの下端から下方に折り曲げ形成された部位である。
【００２４】
ヒートシンク３８及びファン４０は、筐体２４の背部２４Ｂに設けられている。ファン４０は、ヒートシンク３８の例えば左端に設けられており、ヒートシンク３８の長手方向に冷却用の風を流すことができるようになっている。
【００２５】
次に、制御ユニット２０について説明する。図１に示されるように、制御ユニット２０は、例えば制御盤１０の右側に隣接して配置される。図５、図６において、制御ユニット２０は、筐体４４内に例えば制御基板４６を収容して構成されている。筐体４４は、筐体本体４８と、蓋体５０とを有している。筐体本体４８は、正面側が開口部４８Ａとなる箱状に構成されている。筐体本体４８の内部における向かって左側の領域には、制御基板４６が搭載されている。筐体本体４８の底面４８Ｆには、制御基板４６を取り付けるための取付け孔４８Ｅが形成されている。取付け孔４８Ｅには、例えば雌ねじが形成されている。
【００２６】
制御基板４６には、コネクタ５２が例えば複数設けられている。このコネクタ５２は、スクリュー留めが必要な従来の端子台等（図示せず）とは異なる、サイド接続型のコネクタであり、配線２８，２９のコネクタ２８Ａ，２９Ａが、開口部４８Ａの正面から接続可能である。コネクタ５２は、リモートコントール装置のアンテナ用ジャック、モータドライブボードＲＳ４８５コネクタ、ディスプレスＲＳ４８５コネクタ、起動センサ用コネクタ、外部機器入力用スクリューレスタイプコネクタ、リレー出力用スクリューレスタイプコネクタ等である。
【００２７】
筐体本体４８におけるコネクタ５２が位置する部位には、例えば台形状の切欠き４８Ｂが設けられている。この切欠き４８Ｂにより、コネクタ５２が開口部４８Ａに露出し易くなり、該コネクタ５２に対してコネクタ２８Ａ，２９Ａを接続する際の作業性を向上させることが可能となっている。また、筐体本体４８の上面４８Ｇ及び底面４８Ｆには、エンボス部４８Ｈが例えば２箇所ずつ設けられている。
【００２８】
筐体本体４８の上面４８Ｇ、底面４８Ｆ及び背面（図示せず）には、例えば配線２８，２９を外部へ引き出すための貫通孔４８Ｄが、例えば２箇所ずつ形成されている。配線２８，２９は、制御ユニット２０に隣接配置される制御盤１０のコネクタ３０に接続される。また、筐体本体４８の右側面には、Ｕ字状の切欠き４８Ｃが設けられている。この切欠き４８Ｃには、例えば電力供給線５４が通されるようになっている。
【００２９】
筐体本体４８の内部における向かって右側の領域は、配線２８，２９，５４の収容スペース５６となっている。この収容スペース５６と制御基板４６とを区画するために、筐体本体４８の内部には、仕切り部材５８が設けられている。なお、筐体４４に接続される配線の構成や、その配策の仕方は適宜変更することができる。
【００３０】
蓋体５０は、筐体本体４８の開口部４８Ａを閉塞するための部材である。蓋体５０には、筐体本体４８の切欠き４８Ｂを閉塞するための台形状の凸部５０Ａが設けられている。蓋体５０は、ねじ６０（図５）により、筐体本体４８に締結固定される。蓋体５０には、このねじ６０を通すための貫通孔５０Ｂが形成されている。
【００３１】
なお、制御ユニット２０の搭載配置は、シャッターケース１８の内側に限られず、図７に示されるように、シャッターケース１８の外側であってもよい。図７に示される例では、制御ユニット２０が、シャッターケース１８の右外側面に取り付けられている。制御ユニット２０の搭載配置は、シャッターケース１８から離れた位置であってもよい。
【００３２】
（作用）
本実施形態は、上記のように構成されており、以下その作用について説明する。図２において、本実施形態に係る制御盤１０では、筐体２４の側部２４Ｌ，２４Ｒに配線接続用のコネクタ３０が配置されている。このコネクタ３０には、制御ユニット２０の配線２８，２９の端末のコネクタが接続される（図示せず）。つまり、制御盤１０は、コネクタ接続の構成となっている。この配線接続は、シャッターケース１８に搭載された制御盤１０に向かって左右方向に行われる。
【００３３】
筐体２４には、コネクタ３０の上方へ張り出すひさし２５，２６が形成されているので、制御盤１０の筐体２４に対して上方から水Ｗが滴下した場合に、水Ｗがコネクタ３０に付着することを抑制できる。これにより、コネクタ３０からの水の浸入が抑制される。このため、コネクタ３０として、比較的小型の非防水コネクタを使用できる。またこれによって、選択できるコネクタ３０の数が増えるので、設計の自由度が高まる。
【００３４】
また、ひさし２７が、制御盤１０の筐体２４に対して上方から水Ｗが滴下した場合に、ひさし２７により、水Ｗがヒートシンク３８及びファン４０に付着することを抑制できる。図２に示されるように、ひさし２７は、開閉移動するシャッターカーテン１６に近い位置にあり、仮にシャッターカーテン１６がシャッターケース１８内で弛むと、該シャッターカーテン１６がヒートシンク３８及びファン４０に近づく場合があり得る。しかしながら、本実施形態では、ひさし２７により、ヒートシンク３８やファン４０に対するシャッターカーテン１６の接触を抑制できる。したがって、ひさし２７により、ヒートシンク３８及びファン４０に対する水Ｗの付着を抑制すると共に、該ヒートシンク３８及びファン４０を保護することができる。
【００３５】
更に、ひさし２５，２６，２７は、その先端２５Ａ，２６Ａ，２７Ｃへ向かって夫々斜め下方へ延びているので、ひさし２５，２６，２７の上に付着した水Ｗが流れ落ち易い。これにより、制御盤１０の上での水の滞留が抑制される。なお、ひさし２７は、ファン４０で発生しヒートシンク３８に沿って流れる風の拡散を抑制することもできる。したがって、ヒートシンク３８の冷却効率が高い。
【００３６】
このように、本実施形態に係る制御盤１０によれば、配線をコネクタ接続とした制御盤１０の防水性能を確保し、設計の自由度を高めることができる。
【００３７】
また、制御ユニット２０については、工場出荷時に配線接続を行う箇所と、開閉装置１２を設置する現場で配線接続を行う箇所が混在しているため、施工性を考慮した構造が必要となる。制御ユニット２０では、筐体本体４８の開口部４８Ａの正面から接続作業を行うことが可能なコネクタ５２を用いることで、高さ方向の省スペース化を実現することができる。開閉装置１２用のリモートコントール装置の受信機能を、制御ユニット２０内の制御基板４６に一体化することによっても、省スペース化を実現することができる。
【００３８】
このように省スペースが可能な構成でありながら、現場で配線をすべて接続することができる。端子台については、スクリューレスタイプのコネクタを使用することにより、従来の端子台に用いられていたＹ端子が不要となり、現場での施工時間の短縮になる。また、制御基板４６の交換等も容易となり、メンテナンス性も向上する。
【００３９】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００４０】
コネクタ３０として、非防水コネクタが使用されるものとしたが、コネクタ３０のレイアウト上不都合がなければ、防水コネクタを用いることも可能である。
【００４１】
露出部品の一例として、ヒートシンク３８及びファン４０を挙げたが、露出部品はこれに限られるものではなく、７セグメントディスプレイやスイッチ等、各種電子部品であってもよい。露出部品が存在しない場合には、ひさし２７を設けても、設けなくてもよい。ひさし２７を設ければ、制御盤１０の筐体２４に対するシャッターカーテン１６の接触を抑制できる。
【００４２】
ひさし２５，２６，２７が、先端２５Ａ，２６Ａ，２７Ｃへ向かって夫々斜め下方へ延びるものとしたが、コネクタ３０等への水Ｗの付着を抑制できればよいので、ひさし２５，２６，２７が蓋体３４の延長上に水平に構成されていてもよい。
【符号の説明】
【００４３】
１０    制御盤
１６    シャッターカーテン
２２    巻取軸
２４    筐体
２５    ひさし
２５Ａ  先端
２６    ひさし
２６Ａ  先端
２７    ひさし
２７Ｃ  先端
３０    コネクタ
３８    ヒートシンク（露出部品）
４０    ファン（露出部品）
【図１】
0006541989.tif 000002
【図２】
0006541989.tif 000003
【図３】
0006541989.tif 000004
【図４】
0006541989.tif 000005
【図５】
0006541989.tif 000006
【図６】
0006541989.tif 000007
【図７】
0006541989.tif 000008